(57)【要約】【課題】利用者が一時起床後に再入眠しやすくなる照明器具を提供することである。【解決手段】照明器具は、主照明、常夜灯、及び主照明より暗く常夜灯より明るい夜間灯で点灯可能な光源ユニットと、光源ユニットを制御する制御装置とを含む。制御装置は、常夜灯での点灯または光源ユニットの消灯での待機状態において、夜間灯での点灯を指示する信号が入力されたときに、光源ユニットにおいて、主照明の調光下限の直下照度より低い第１照度の直下照度の夜間灯で点灯させた後、所定時間経過時に、夜間灯での点灯直前の直下照度に戻すように制御する。【選択図】図２
2019205768.tif 000002
【特許請求の範囲】
【請求項１】
主照明、常夜灯、及び前記主照明より暗く前記常夜灯より明るい夜間灯で点灯可能な光源ユニットと、
前記光源ユニットを制御する制御装置と、
を備え、
前記制御装置は、前記常夜灯での点灯または前記光源ユニットの消灯での待機状態において、前記夜間灯での点灯を指示する信号が入力されたときに、前記光源ユニットにおいて、前記主照明の調光下限の直下照度より低い第１照度の直下照度の前記夜間灯で点灯させた後、所定時間経過時に、前記夜間灯での点灯直前の直下照度に戻すように制御する、照明器具。
【請求項２】
請求項１に記載の照明器具において、
前記制御装置は、前記夜間灯での点灯を指示する信号が入力されたときに、前記光源ユニットにおいて、前記第１照度の直下照度での前記夜間灯で点灯させた後、直下照度を徐々に低下させ、前記所定時間経過時に、前記夜間灯での点灯直前の直下照度に戻すように制御する、照明器具。
【請求項３】
請求項１に記載の照明器具において、
前記制御装置は、前記夜間灯での点灯を指示する信号が入力されたときに、前記光源ユニットにおいて、前記第１照度の直下照度での前記夜間灯で所定時間点灯させた後、前記所定時間経過時に、前記夜間灯での点灯直前の直下照度に戻すように制御する、照明器具。
【請求項４】
請求項１〜請求項３のいずれか１項に記載の照明器具において、
前記主照明の直下照度の照度範囲が２．０Ｌｘ以上であり、前記常夜灯の直下照度が０．５未満であり、前記第１照度が、０．５Ｌｘ以上で、かつ、２．０Ｌｘ未満である、照明器具。
【請求項５】
請求項１〜請求項４のいずれか１項に記載の照明器具において、
前記夜間灯は、前記主照明の色温度より低い色温度で照射される、照明器具。
【請求項６】
請求項１〜請求項５のいずれか１項に記載の照明器具と、
操作部を有し、前記操作部の操作に応じて前記夜間灯での点灯を指示する信号を前記照明器具に送信するリモコンと、
を備える、照明システム。
【請求項７】
請求項１〜請求項５のいずれか１項に記載の照明器具と、
前記制御装置に接続され、立っている人が検知された場合に前記制御装置に前記夜間灯での点灯を指示する信号を出力する人感センサと、
を備える、照明システム。
【請求項８】
請求項６または請求項７に記載の照明システムにおいて、
前記制御装置に前記夜間灯での点灯を指示する信号が入力されたときに、作動する他の機器をさらに備える、照明システム。
【発明の詳細な説明】
【技術分野】
【０００１】
本開示は、照明器具及び照明システムに関する。
【背景技術】
【０００２】
寝室等に設置される照明器具は、一般的に常夜灯で点灯する機能を有する。また、主照明より暗く常夜灯より明るい夜間灯で点灯する照明器具も知られている。夜間灯は、眩しさを抑えつつ、常夜灯よりも部屋全体を明るく照らすことができる。このため、夜間にトイレに行くときなどの一時起床時に夜間灯で点灯させることで、足元が見やすくなり歩行の安全性が確保される。また、夜間灯は利用者を覚醒させず、その後の睡眠に悪影響を与え難い。
【０００３】
特許文献１には、おやすみ調光モード（減光制御モード）が選択されたときに、昼光色ＬＥＤモジュールの点灯から電球色ＬＥＤモジュールの点灯に切り換え、その後、電球色ＬＥＤモジュールの放射光束を第１の期間で連続的に減少させ、第２の期間で所定の値に維持し、第３の期間で連続的に減少させる照明器具が開示されている。
【先行技術文献】
【特許文献】
【０００４】
【特許文献１】特開２０１３−２０８４４号公報
【発明の概要】
【発明が解決しようとする課題】
【０００５】
ところで、利用者が夜間にトイレに行くなどで一時起床し、照明器具を常夜灯より明るい夜間灯で点灯させ、その後、再び寝床につくときに、室内が常夜灯で点灯する場合より明るい状態であると、利用者が短時間で再入眠することが難しい場合がある。特許文献１には、利用者の一時起床後に再入眠しやすくするための手段は開示されていない。
【課題を解決するための手段】
【０００６】
本開示の一態様である照明器具は、主照明、常夜灯、及び主照明より暗く常夜灯より明るい夜間灯で点灯可能な光源ユニットと、光源ユニットを制御する制御装置と、を備え、制御装置は、常夜灯での点灯または光源ユニットの消灯での待機状態において、夜間灯での点灯を指示する信号が入力されたときに、光源ユニットにおいて、主照明の調光下限の直下照度より低い第１照度の直下照度の夜間灯で点灯させた後、所定時間経過時に、夜間灯での点灯直前の直下照度に戻すように制御する。
【０００７】
本開示の一態様である照明システムは、本開示の照明器具と、操作部を有し、操作部の操作に応じて夜間灯での点灯を指示する信号を照明器具に送信するリモコンと、を備える。
【０００８】
本開示の一態様である照明システムは、本開示の照明器具と、制御装置に接続され、立っている人が検知された場合に制御装置に夜間灯での点灯を指示する信号を出力する人感センサと、を備える。
【発明の効果】
【０００９】
本開示の一態様である照明器具及び照明システムによれば、利用者の一時起床時に、主照明の調光下限の照度より低い第１照度の夜間灯で光源ユニットを点灯させることで、利用者の覚醒が抑制される。また、所定時間経過時に、光源ユニットの照度が、常夜灯での点灯または光源ユニットの消灯のときと同じ照度に自動的に戻るので、利用者が一時起床後に再入眠しやすくなる。
【図面の簡単な説明】
【００１０】
【図１】実施形態の一例の照明システムを示す図である。
【図２】実施形態の一例の照明器具の構成を示すブロック図である。
【図３】実施形態の一例の照明システムの夜間モード設定時における制御処理を示すフローチャートである。
【図４】実施形態の一例の照明器具において、夜間モードが設定されたときの直下照度の時間変化の一例を示す図である。
【図５】実施形態の一例の照明器具において、夜間モードが設定されたときの直下照度の時間変化の別例を示す図である。
【図６】実施形態の別例の照明器具において、夜間モードが設定されたときの直下照度の時間変化の一例を示す図である。
【図７】実施形態の別例の照明システムを示す図である。
【発明を実施するための形態】
【００１１】
以下、図面を参照しながら、本開示に係る照明器具及び照明システムの実施形態について詳細に説明する。但し、本開示は以下で説明する実施形態に限定されない。また、以下で説明する複数の実施形態の各構成要素を選択的に組み合わせることは当初から想定されている。
【００１２】
本開示の装置及びシステムの主体は、コンピュータを備えている。このコンピュータがプログラムを実行することによって、本開示の装置及びシステムの主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの装置に集約されていてもよく、複数の装置に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１３】
図１は、実施形態の一例の照明システム１０及び当該システムの使用イメージを示す図である。図２は照明システム１０のブロック図である。図１に示す例では、照明システム１０を構成する照明器具５０が寝室１の天井に設置されているが、照明器具５０は寝室１の壁などに設置されてもよく、寝室１以外に設置されてもよい。
【００１４】
図２に示すように、照明システム１０は、操作部２１を有するリモコン２０と、リモコン２０によって操作される照明器具５０とを備える。リモコンは、照明器具５０の操作のための遠隔操作装置である。照明器具５０は、主照明、常夜灯、及び夜間灯で点灯可能な光源ユニット５１と、操作部２１の操作に基づく操作信号を受信する受信部５２と、操作信号に基づく制御信号を光源ユニット５１に出力し、光源ユニット５１を制御する器具側制御装置５３（以下、「制御装置５３」と記載する）とを含む。夜間灯は、主照明より暗く常夜灯より明るい。夜間灯は、眩しさを抑えつつ、部屋全体を常夜灯よりも明るく照らすことができる照明光であって、例えば夜中にトイレに行くなどの一時的に起床するときに使用され、足元を見やすくして歩行の安全性を確保する。
【００１５】
主照明は、一般的に就寝時以外に使用される照明光である。主照明の直下照度は、操作部２１に配置される段調光ボタン等の操作により所定範囲内で変更可能である。常夜灯は、就寝時に使用される照明光であって、主照明のような明るさを感じ難く、睡眠の妨げにならない程度のスポット的な光である。夜間灯は、上述の通り、主照明より暗く常夜灯より明るい照明光であって、就寝時間の途中でトイレに行く場合などに使用される。夜間灯は、利用者を覚醒させず、その後の睡眠に悪影響を与え難い。例えば、主照明の直下照度の照度範囲は２．０Ｌｘ以上、７００Ｌｘ以下であり、かつ、常夜灯の直下照度は、０．５Ｌｘ未満であり、夜間灯の直下照度は、０．５Ｌｘ以上で、かつ２.０Ｌｘ未満である。夜間灯は、調光可能に設定される。また、夜間灯は、一般的に常夜灯よりも配光角が大きい。主照明の色温度は、例えば５０００Ｋ（昼白色）〜６５００Ｋ（昼光色）であり、常夜灯の色温度は主照明の色温度より低く、例えば２５００Ｋ〜３０００Ｋである。また、夜間灯の色温度は、常夜灯の色温度以上であり、かつ、主照明の色温度未満である。これにより、夜間灯は、主照明の色温度より低い色温度で照射される。例えば、夜間灯の色温度は、２７００Ｋ〜３０００Ｋの電球色である。夜間灯の色温度は、常夜灯の色温度と同じとしてもよい。
【００１６】
図１に示す例では、寝室１にリモコン２０及び照明器具５０が１つずつ設けられているが、これらはそれぞれ複数個が存在してもよい。照明器具５０は寝室１に複数設置されてもよく、複数の照明器具５０が１つのリモコン２０で操作可能に構成されていてもよい。或いは、１つの照明器具５０を操作するリモコン２０が複数存在してもよい。
【００１７】
図２に示すように、リモコン２０は、操作部２１と、操作部２１の操作に基づく操作信号が送信されるリモコン側制御装置２２（以下、「制御装置２２」と記載する）とを含む。操作部２１は、複数の操作ボタンを含んで構成される。リモコン２０は、操作部２１の操作に応じて主照明、常夜灯、及び夜間灯での点灯を指示する信号を照明器具５０に送信する。詳しくは後述するが、照明器具５０の制御装置５３から出力される制御信号には、リモコン２０の後述の夜間モード以外での操作信号に対応する通常の第１制御信号と、夜間灯で点灯させるための第２制御信号とが含まれる。なお、図２では、後述の別例の照明システムが備える人感センサ５８も合わせて示している。
【００１８】
制御装置５３は、後述するように演算制御部５４と、記憶部５６とを有する。演算制御部５４は、照明モードを夜間モードに設定する設定部５５を有する。
【００１９】
照明器具５０は、照明モードとして、昼間モード及び夜間モードを有する。昼間モードは、操作部２１に対応する第１制御信号が出力される照明モードである。つまり、昼間モードでは、利用者が操作部２１の所定の操作ボタンを押下したときに、照明器具５０は当該ボタンに対応する点灯状態となる。例えば、操作部２１の段調光ボタンの操作により照明器具５０は段階的に調光される。
【００２０】
一方、演算制御部５４は、夜間モードが設定されたときにおいて、リモコン２０から操作部の操作に基づく操作信号を受信したときに、第１制御信号を出力せず、第２制御信号を光源ユニット５１に出力する。光源ユニット５１に第２制御信号が出力された場合には、光源ユニット５１が夜間灯で点灯するように制御される。このとき、後述のリモコン２０の操作部が有するいずれかのボタンが押下されたときに、リモコン２０から光源ユニット５１を夜間灯で点灯させるための操作信号が出力される。これにより、照明器具５０の利用者が、夜中に目が覚めてトイレなどに行くときに、周囲が暗い等のために操作部２１の操作を間違えて、照明器具５０が意図しない明るい点灯状態に切り替わることを抑制できる。このため、誤って主照明で点灯されることで利用者の覚醒が促され、その後の睡眠に悪影響が出るといった事態を抑制できる。また、夜間灯での点灯開始のための操作が簡単であるので、さらに覚醒が抑えられる。なお、照明器具５０は、昼間モード及び夜間モード以外の照明モードを有していてもよい。
【００２１】
また、夜間モードが設定されたときにおいて、後述のリモコン２０の操作部２１が有する複数のボタンのうち、所定のボタンを除くいずれかのボタン（任意のボタン）が押下されたときに、リモコン２０から光源ユニットを夜間灯で点灯させるための操作信号が出力される構成としてもよい。所定のボタンは、複数個としてもよい。
【００２２】
リモコン２０は、制御装置２２で生成された操作信号を照明器具５０に送信する送信部（図示せず）を備える。送信部は、リモコン２０の操作信号を赤外線信号に変換する。赤外線信号は、赤外線ＬＥＤを有する発光部（図示せず）から出力される。発光部から出力された操作信号を含む赤外線信号は、照明器具５０の受信部５２で受信される。受信部５２は、例えばフォトトランジスタ等の受光素子を有する。受信部５２は、制御装置５３に操作信号を送信し、制御装置５３は、操作信号に対応する制御信号に変換して光源ユニット５１に出力する。これにより、光源ユニット５１はリモコン２０の操作に従った点灯状態となる。
【００２３】
照明器具５０は、例えばシーリングライトである。光源ユニット５１は、明るさの異なる主照明、常夜灯、及び夜間灯で照射可能な光源を有する。好適な光源の一例は、半導体発光素子であって、中でもＬＥＤ（Light Emitting Diode）が好ましい。光源ユニット５１は、照度範囲及び色温度がそれぞれ異なる主照明用光源、常夜灯用光源、及び夜間灯用光源を有していてもよい。常夜灯用光源及び夜間灯用光源の色温度は同じとしてもよい。また、ＬＥＤ、蛍光灯、白熱灯など、複数種の光源を有していてもよい。光源がＬＥＤである場合、例えば光源ユニット５１には定電流回路が搭載される。定電流回路は、制御装置５３の制御信号に基づいて作動し、光源に供給される電流を制御する。
【００２４】
リモコン２０の操作部２１は、主照明で点灯させる全灯ボタン、点灯中の光源を消灯させる消灯ボタン、及び常夜灯を点灯させる常夜灯ボタンを有する。さらに、操作部２１には、照明モードを夜間モードに設定するための夜間モード設定ボタンが含まれる。なお、操作部２１には、他のボタンが含まれていてもよい。
【００２５】
また、リモコン２０は、現在時刻、タイマー等の設定時刻などを表示する表示部を有してもよい。表示部は、例えば液晶モニタである。このとき、操作部２１は、夜間モードタイマーボタンを有していてもよい。夜間モードタイマーボタンは、所定時間経過後に夜間モードが設定されるように、所定時間をセットするためのボタンである。
【００２６】
以下、照明器具５０の制御装置５３及び夜間モードについて、さらに詳説する。夜間モードは、上述の通り、複数の操作ボタンから選択される任意の、すなわちいずれかのボタンが操作されたときに、当該ボタンの操作に対応する第１制御信号を出力せず、第２制御信号を出力する照明モードである。つまり、夜間モードでは任意のボタンのいずれを操作しても夜間灯が点灯する。本実施形態では、制御装置５３の機能により夜間モードが実行される。
【００２７】
制御装置５３は、例えばマイクロコンピュータで構成され、演算制御部５４、記憶部５６、及び入出力ポートなどを有する。演算制御部５４は、ＣＰＵにより構成される。記憶部は、ＲＡＭ、ＲＯＭ等で構成される。演算制御部５４は、記憶部５６に予め記憶された制御プログラムを読み出して実行する機能を有する。一般的に、制御装置５３の各手段の機能は制御プログラムを実行することで実現される。記憶部５６は、演算制御部５４の処理に使用される情報等を一時的に記憶する機能と、制御プログラム、各種設定情報等を記憶する機能とを有する。
【００２８】
演算制御部５４が有する設定部５５は、リモコン２０から夜間モードの設定信号を受信したときに、照明モードを夜間モードに設定する。例えば、リモコン２０において、操作部２１の夜間モード設定ボタンの操作による設定信号が受信されたときに、照明モードを夜間モードに設定する。利用者は、照明モードが昼間モードであるときに、夜間モード設定ボタンを押下することで、照明モードを夜間モードに変更できる。
【００２９】
設定部５５は、リモコン２０の夜間モード設定ボタンが操作された後、消灯ボタンまたは常夜灯ボタンが操作されたときに、照明モードを夜間モードに設定してもよい。すなわち、設定部５５は、夜間モード設定ボタンの操作に基づく操作信号が取得された後、消灯ボタンまたは常夜灯ボタンの操作に基づく操作信号が取得されることを条件として夜間モードの設定を実行してもよい。
【００３０】
さらに、制御装置５３は、夜間モードが設定され、かつ、常夜灯での点灯または光源ユニット５１の消灯での、夜間灯点灯の指示を待つ待機状態において、夜間灯での点灯を指示する信号が入力されたときに、所定の夜間灯点灯動作を実行する。制御装置５３は、後述の図４に示すように、夜間灯点灯動作の第１所定時間経過時に、光源ユニット５１の直下照度を夜間灯での点灯直前の直下照度に戻すように制御する。これとともに、制御装置５３は、第１所定時間経過時に、夜間灯を消灯して夜間灯での点灯前の状態に戻すように制御する。例えば、後述の図４に示すように、夜間灯での点灯前に常夜灯で点灯している場合には、第１所定時間経過時に常夜灯を点灯させる。一方、後述の図５に示すように、夜間灯での点灯前に光源ユニット５１を消灯している場合には、第１所定時間経過時に光源ユニット５１を消灯させる（常夜灯も消灯させる）。
【００３１】
夜間灯点灯動作は、動作開始時に、光源ユニット５１において、主照明の調光下限の直下照度（例えば２．０Ｌｘ）より低い第１照度（例えば１．０Ｌｘ〜１．５Ｌｘ）の夜間灯で点灯させる。夜間灯点灯動作は、その後、光源ユニット５１の直下照度を徐々に低下させ、第１所定時間経過時に、夜間灯での点灯直前の直下照度（例えば常夜灯の直下照度）に戻す。このような構成により、照明システム１０の利用者が夜中に目が覚めてトイレなどに行く一時起床時に、主照明の調光下限の照度より低い第１照度の夜間灯で点灯させることで、利用者の覚醒が抑制される。また、夜間灯点灯動作の第１所定時間経過時に、光源ユニット５１の照度が、常夜灯での点灯または光源ユニット５１の消灯のときと同じ照度に自動的に戻るので、利用者が一時起床後に再入眠しやすくなる。
【００３２】
なお、夜間モード設定ボタンは、夜間モードを解除するためのボタンとして兼用されてもよい。例えば、制御装置５３は、夜間モードにおいて夜間モード設定ボタンが押下されたときに、照明モードを昼間モードに切り替えてもよい。
【００３３】
一方、リモコン２０に、専用の夜間モード設定ボタンが設けられていない場合、設定部５５は、操作部２１の少なくとも１つの操作ボタンを用いた夜間モード設定用の特定の操作が行われることを条件として、照明モードを夜間モードに設定してもよい。夜間モード設定用の特定の操作は特に限定されず、消灯ボタンを３秒間に３回など、特定のボタンを所定時間内に所定回数押下する、または消灯ボタンと常夜灯ボタンなど、特定の２つのボタンを同時に押下するといった操作により夜間モードが設定されてもよい。設定部５５は、夜間モード設定用の特定の操作がされた後、消灯ボタンまたは常夜灯ボタンが操作されたときに、照明モードを夜間モードに設定してもよい。
【００３４】
設定部５５は、リモコン２０または照明器具５０に内蔵された時計が予め定められた特定の時間になったときに、照明モードを夜間モードに設定してもよい。この場合、専用の設定ボタンまたは専用の操作が不要であって、時計と連動して夜間モードが自動で設定される。特定の時間は、例えば午前１時など、夜間灯が使用される可能性が高い時間帯（例：午前１時〜４時）に合わせて予め設定される。
【００３５】
また、設定部５５は、リモコン２０の操作部２１の所定のボタンの押下または特定の操作によって、お休み調光モードを設定してもよい。お休み調光モードが設定された場合、主照明での点灯時において、光源ユニット５１の直下照度が徐々に低下され、調光範囲の調光下限に達したときに、光源ユニット５１で主照明での点灯から常夜灯での点灯、または光源ユニット５１の消灯に切り換えられる。主照明から常夜灯に切り換えるか、または主照明から消灯に切り換えるかは、リモコン２０の操作部２１の所定のボタンの押下または特定の操作によって設定することができる。
【００３６】
図３は、上記構成を備えた照明システム１０の制御処理の一例を示すフローチャートであって、照明器具５０の照明モードが夜間モードに設定された場合の制御処理を示している。
【００３７】
図３に示す例では、ステップＳ１０において、設定部５５により照明器具５０の照明モードが夜間モードに設定されたときに、ステップＳ１１に移行する。このとき、照明モードの変更を利用者に報知するための所定の報知処理が実行されてもよい。例えば照明器具５０の制御装置５３が有する報知部（図示せず）が、報知処理として、照明器具５０を所定の点灯状態にするか、または所定の設定音を出力する。所定の点灯状態は、常夜灯での点滅など、夜間モードに切り替わったことを利用者が認識できるものであればよい。報知処理は、リモコン２０の制御装置２２の機能により実行されてもよく、例えば夜間モードの設定情報がリモコン２０の表示部に表示されてもよい。
【００３８】
ステップＳ１１では、リモコン２０の操作部２１における予め設定された所定のボタンを除くいずれかのボタン（任意のボタン）が押下されたことを条件として、制御装置２２は、第２制御信号を生成し、照明器具５０に送信する。制御装置５３は、夜間モードにおいて、任意のボタンに対応する操作信号を取得したときに、第１制御信号を生成せず、夜間灯で点灯させる第２制御信号を生成し、光源ユニット５１に出力する。これにより、夜間灯照射動作の実行が開始され、光源ユニット５１が第１照度の夜間灯で点灯する（ステップＳ１２）。
【００３９】
次に、制御装置５３は、ステップＳ１３で、光源ユニット５１で照射させる夜間灯の直下照度を所定幅だけ低下させる。次いで、制御装置５３は、ステップＳ１４で、夜間灯での点灯開始から第１所定時間が経過したか否かを判定する。ステップＳ１４の判定結果が否定、すなわち、夜間灯での点灯開始から第１所定時間が経過していない場合には、ステップＳ１３に戻り、ステップＳ１３、Ｓ１４の処理を繰り返す。一方、ステップＳ１４の判定結果が肯定、すなわち、夜間灯での点灯開始から第１所定時間が経過した場合には、ステップＳ１５に移行する。ステップＳ１５では、制御装置５３が、光源ユニット５１において、夜間灯での点灯直前の照度に戻して、夜間灯を消灯し、夜間灯での点灯直前の状態に戻す。例えば、夜間灯での点灯直前に常夜灯で点灯している場合には、常夜灯を点灯させる。
【００４０】
次に、ステップＳ１６で夜間モードの設定開始から第２所定時間が経過したか、または、リモコン２０で所定の解除操作がされた場合には、夜間モードを解除し（ステップＳ１７）、照明モードが夜間モードに設定された場合の制御処理が終了する。第２所定時間は、上記の第１所定時間より長い。一方、ステップＳ１６において、夜間モードの設定開始から第２所定時間が経過せず、かつ、リモコン２０で所定の解除操作がされていない場合には、夜間モードが解除されず、ステップＳ１１に戻って、処理を繰り返す。
【００４１】
図４は、お休み調光モードと夜間モードが設定されたときにおける、光源ユニット５１の直下照度の時間変化の一例を示す図である。お休み調光モードの設定が開始されてから時刻ｔ１以前では、照明器具５０の主照明が減光される。このとき、主照明の直下照度が徐々に直線的に低下する。この減光によって、光源ユニット５１の直下照度が７００Ｌｘから調光下限の２．０Ｌｘに低下する。
【００４２】
時刻ｔ１では、主照明の調光下限（２．０Ｌｘ）に達することで、主照明が消灯され、その代わりに光源ユニット５１が常夜灯で点灯される。このとき、常夜灯での照度は、一定の０．２５Ｌｘである。このように光源ユニット５１の照度がかなり低くなるので、利用者が入眠しやすくなる。
【００４３】
その後、時刻ｔ２において、利用者が一時起床したときに、リモコン２０の操作部２１を操作することによって、光源ユニット５１において夜間灯での点灯が開始される。このとき、光源ユニット５１は、主照明の調光下限の直下照度より低いが、常夜灯での直下照度より高い、第１照度Ｋ１の直下照度の夜間灯で点灯が開始される。その後、光源ユニット５１の直下照度は、徐々に直線的に低下する。このとき、光源ユニットの直下照度を、徐々に曲線的に低下させてもよい。
【００４４】
そして、時刻ｔ２から第１所定時間の経過時である時刻ｔ３において、光源ユニット５１の直下照度が夜間灯での点灯直前の直下照度である常夜灯の直下照度（０．２５Ｌｘ）に戻る。このとき、夜間灯が消灯し、その代わりに光源ユニット５１が常夜灯で点灯される。これにより、利用者が一時起床後に再入眠しやすくなる。
【００４５】
図５は、お休み調光モードと夜間モードが設定されたときにおける、光源ユニット５１の直下照度の時間変化の別例を示す図である。図５に示す別例の場合には、図４に示した場合と異なり、時刻ｔ１で主照明の調光下限（２．０Ｌｘ）に達することで、主照明が消灯されたときに、光源ユニット５１が消灯されるように設定されている。このため、時刻ｔ１から時刻ｔ２では消灯され、時刻ｔ２で光源ユニット５１において夜間灯での点灯が開始されている。図５において、その他の動作は、図４と同様である。
【００４６】
図６は、実施形態の別例の照明器具において、夜間モードが設定されたときの直下照度の時間変化の一例を示す図である。本例の照明器具では、制御装置５３（図２参照）は、夜間モードの設定時において、夜間灯での点灯を指示する信号が入力されたときに、光源ユニット５１（図２）において、第１照度の直下照度での夜間灯で第１所定時間点灯させるように制御する。また、制御装置５３は、第１所定時間経過時に、光源ユニット５１において、夜間灯での点灯直前の直下照度に戻すように制御する。これにより、制御装置５３が実行する夜間灯点灯動作は、動作開始時に、光源ユニット５１において、主照明の調光下限の直下照度より低い第１照度Ｋ１の夜間灯で点灯させた後、光源ユニットの直下照度を第１所定時間、一定に維持する。そして、制御装置５３は、夜間灯での点灯開始から第１所定時間の経過時に、夜間灯を消灯し、常夜灯で点灯させることで、夜間灯での点灯直前の直下照度（例えば常夜灯の直下照度）に戻す。これにより、図６に示す時刻ｔ２から時刻ｔ３において、光源ユニット５１の直下照度が第１所定時間、一定に維持される。本例においてその他の構成及び作用は、図１〜図４の構成と同様である。本例において、図５に示した時間変化の別例のように、時刻ｔ１で主照明の調光下限（２．０Ｌｘ）に達することで、主照明が消灯されたときに、光源ユニット５１が消灯されるように設定されてもよい。
【００４７】
図７は、実施形態の他の一例である照明システム１０ｘ及び当該システムの使用イメージを示す図である。図７に示す照明システム１０ｘは、リモコン２０ｘと、リモコン２０ｘによって操作される照明器具５０ｘとを備える点で、図１〜図４の照明システム１０と共通する。一方、照明システム１０ｘは、夜間モードにおいて、複数の操作ボタンから選択される任意のボタンの操作信号、照明器具５０ｘの第２制御信号、または当該各信号に基づいて生成される信号を受信して作動する他の機器をさらに備える点で、照明システム１０と異なる。リモコン２０ｘ及び照明器具５０ｘは、当該他の機器の制御に関する部分を除き、リモコン２０及び照明器具５０と同様の構成を備える。
【００４８】
上記他の機器は、照明器具５０ｘ以外の照明器具であってもよく、照明器具以外の機器であってもよい。図７では、他の機器として、廊下２に設置された照明器具１００、トイレ３に設置された照明器具１０１、及び便座ヒーター１０２を例示している。但し、他の機器は、これらに限定されず、台所に設置される照明器具などであってもよい。なお、照明システム１０ｘの夜間モードにおいて、便座ヒーター１０２がリモコン２０の操作信号を受信して作動する場合、便座ヒーター１０２には照明器具５０ｘの制御装置と同様の機能を有する装置が設けられる。
【００４９】
照明器具１００，１０１及び便座ヒーター１０２は、例えば照明器具５０ｘの第２制御信号を受信する受信部を有する。照明器具１００，１０１は、夜間灯で点灯可能な光源ユニットを有し、第２制御信号を受信したときに夜間灯で点灯させる。つまり、照明システム１０ｘでは、リモコン２０ｘの操作により、寝室１、廊下２、及びトイレ３の照明器具が夜間灯で点灯する。照明器具１００，１０１の夜間灯は、照明器具５０ｘの夜間灯と同様の照度レベルであることが好ましい。便座ヒーター１０２は、第２制御信号を受信したときにＯＮされる。
【００５０】
照明システム１０ｘにおいて、照明器具５０ｘの第２制御信号は、例えば電波信号として照明器具１００，１０１及び便座ヒーター１０２に送信される。この場合、照明器具５０ｘには第２制御信号を含む電波信号を送信可能な送信部が設けられる。ここで、電波とは、電磁波のスペクトルにおいて、遠赤外線より周波数が低い領域の電磁波を意味する。なお、照明器具１００，１０１及び便座ヒーター１０２は、第２制御信号等の中継器として機能してもよい。
【００５１】
以上のように、上記構成を備えた照明器具５０，５０ｘによれば、夜中に目が覚めてトイレ、台所などに行くときに、ボタン操作を間違えて意図しない点灯状態に切り替わることを抑制できる。このため、主照明が誤って点灯することで覚醒が促され、その後の睡眠に悪影響が出るといった事態を抑制できる。また、夜間灯の点灯操作が簡単であるため、さらに覚醒が抑えられる。
【００５２】
上記の各実施形態では、リモコン２０が、操作部２１の操作に応じて夜間灯での点灯を指示する信号を照明器具５０に送信する場合を説明した。一方、実施形態の別例の照明システムが、図２にカッコ内で示すように、制御装置５３に接続された人感センサ５８を備える構成としてもよい。人感センサ５８は、立っている人が検知された場合に制御装置に夜間灯での点灯を指示する信号を出力する。人感センサ５８は、例えば照明器具５０に取り付けられるが、照明器具とは別に天井などに取り付けられてもよい。人感センサ５８は、例えば利用者が就寝後に一時起床して寝床から立ち上がったことを検知する。制御装置５３は、夜間モードの設定時において、人感センサ５８から夜間灯での点灯を指示する信号が入力されたときに、光源ユニット５１において、主照明の調光下限の直下照度より低い第１照度の直下照度の夜間灯で点灯させる。上記の別例の照明システムにおいて、その他の構成及び作用は、図１〜図４の構成と同様である。
【００５３】
なお、上述の実施形態は本開示の目的を損なわない範囲で適宜設計変更できる。例えば、スマートフォン、タブレット端末など、照明器具用リモコン以外の機器を用いて夜間モードの設定が可能であってもよい。
【符号の説明】
【００５４】
１  寝室、２  廊下、３  トイレ、１０，１０ｘ  照明システム、２０，２０ｘ  リモコン、２１  操作部、２２  リモコン側制御装置（制御装置）、２３  送信部、５０，５０ｘ  照明器具、５１  光源ユニット、５２  受信部、５３  器具側制御装置（制御装置）、５４  演算制御部、５５  設定部、５６  記憶部、５８  人感センサ。
【図１】
2019205768.tif 000003
【図２】
2019205768.tif 000004
【図３】
2019205768.tif 000005
【図４】
2019205768.tif 000006
【図５】
2019205768.tif 000007
【図６】
2019205768.tif 000008
【図７】
2019205768.tif 000009